(57)【要約】【課題】二酸化炭素治療において、低コスト化、治療作業の簡易化及び安全性確保等を実現することができる二酸化炭素治療用被覆部材を提供する【解決手段】治療部位挿入口１７より挿入した治療部位を被覆する被覆空間１８に二酸化炭素源１９を介して二酸化炭素が供給される二酸化炭素治療用被覆部材１において、前記二酸化炭素源１９を介して二酸化炭素を導入する筒状の二酸化炭素導入口１５と、該二酸化炭素導入口１５より前記二酸化炭素を前記被覆空間１８へ案内するとともに、装着時に、治療部位の湾曲領域における対向する内壁の少なくとも１箇所を互いに接触させた状態で撓みながら前記被覆空間１８と外部空間との連通を抑制する少なくとも１つの内部流路１６とを備えることを特徴とする二酸化炭素治療用被覆部材１。【選択図】図６
2010274037.tif 000002
【特許請求の範囲】
【請求項１】
治療部位挿入口より挿入した治療部位を被覆する被覆空間に二酸化炭素源を介して二酸化炭素が供給される二酸化炭素治療用被覆部材において、
前記二酸化炭素源を介して二酸化炭素を導入する筒状の二酸化炭素導入口と、
該二酸化炭素導入口より前記二酸化炭素を前記被覆空間へ案内するとともに、装着時に、治療部位の湾曲領域における対向する内壁の少なくとも１箇所を互いに接触させた状態で撓みながら前記被覆空間と外部空間との連通を抑制する少なくとも１つの内部流路とを備えることを特徴とする二酸化炭素治療用被覆部材。
【請求項２】
不織布層とポリウレタン層との２層構造で構成されるシート材からなることを特徴とする請求項１に記載の二酸化炭素治療用被覆部材。
【請求項３】
内層を前記ポリウレタン層で構成するとともに、外層を前記不織布層で構成したシート材からなることを特徴とする請求項２に記載の二酸化炭素治療用被覆部材。
【請求項４】
前記ポリウレタン層は、３０μｍ〜２００μｍの厚さで構成されることを特徴とする請求項２又は３に記載の二酸化炭素治療用被覆部材。
【請求項５】
前記ポリウレタン層は、６０μｍ〜８０μｍの厚さで構成されることを特徴とする請求項２又は３に記載の二酸化炭素治療用被覆部材。
【請求項６】
前記不織布層は、２０ｇ／ｍ２〜１００ｇ／ｍ２の使用量で構成されることを特徴とする請求項２又は３に記載の二酸化炭素治療用被覆部材。
【請求項７】
前記不織布層は、３０ｇ／ｍ２〜５０ｇ／ｍ２の使用量で構成されることを特徴とする、請求項２又は３に記載の二酸化炭素治療用被覆部材。
【請求項８】
請求項１〜７のいずれかに記載の二酸化炭素治療用被覆部材を備えることを特徴とする、二酸化炭素治療装置。
【発明の詳細な説明】
【技術分野】
【０００１】
本発明は、二酸化炭素治療用被覆部材に関する。
【背景技術】
【０００２】
現在では、手足に冷え感じる、いわゆる「冷え性」と呼ばれる症状に悩まされる女性が多く見られる。冷え性の位置づけは、病気と扱われておらず、西洋医学では自律神経失調症の症状の１つであると言われている。
【０００３】
このような冷え性に対する根本的な治療法は未解明のままであるが、一定の効果が見込まれる治療法として、治療部位を炭酸温水に浸す炭酸浴治療法が広く知られており、これに関連する従来技術として、例えば、特許文献１及び２には、炭酸温水を製造するための装置が開示されている。
【０００４】
また、炭酸浴治療法と同等の効果を得ることを目的として、特許文献３には、上述のような装置の使用を必要としない二酸化炭素治療装置が開示されている。しかしながら、このような二酸化炭素治療装置では、部品点数が多く、大量生産を想定した場合にはコスト面に問題が感じられる構成となっている。また、治療に必要な手順が煩雑であるという問題もある。さらに、空間内の二酸化炭素濃度を高濃度に維持することはできるが、保温性については検討の余地が残されている。
【先行技術文献】
【特許文献】
【０００５】
【特許文献１】特開２００２−１４３８６７号公報
【特許文献２】特開２００３−５３１６９号公報
【特許文献３】特許３９８１７１１号公報
【発明の概要】
【発明が解決しようとする課題】
【０００６】
そこで、本発明は、二酸化炭素治療において、低コスト化、治療作業の簡易化及び安全性確保等を実現することができる二酸化炭素治療用被覆部材を提供することを課題とする。
【課題を解決するための手段】
【０００７】
前記課題を解決するための手段として、本発明は、治療部位挿入口より挿入した治療部位を被覆する被覆空間に二酸化炭素源を介して二酸化炭素が供給される二酸化炭素治療用被覆部材において、前記二酸化炭素源を介して二酸化炭素を導入する筒状の二酸化炭素導入口と、該二酸化炭素導入口より前記二酸化炭素を前記被覆空間へ案内するとともに、装着時に、治療部位の湾曲領域における対向する内壁の少なくとも１箇所を互いに接触させた状態で撓みながら前記被覆空間と外部空間との連通を抑制する少なくとも１つの内部流路とを備える。
【０００８】
本発明は、不織布層とポリウレタン層との２層構造で構成されるシート材からなるのが好ましい。
【０００９】
本発明は、内層を前記ポリウレタン層で構成するとともに、外層を前記不織布層で構成したシート材からなるのが好ましい。
【００１０】
前記ポリウレタン層は、３０μｍ〜２００μｍの厚さで構成されるのが好ましい。
【００１１】
前記ポリウレタン層は、６０μｍ〜８０μｍの厚さで構成されるのが好ましい。
【００１２】
前記不織布層は、２０ｇ／ｍ２〜１００ｇ／ｍ２の使用量で構成されるのが好ましい。
【００１３】
前記不織布層は、３０ｇ／ｍ２〜５０ｇ／ｍ２の使用量で構成されるのが好ましい。
【発明の効果】
【００１４】
本発明によれば、炭酸浴治療法や従来の二酸化炭素治療装置と同等の効果を得ることができる。また、本発明では内部流路が被覆部材に一体化されているので、部品点数の削減を実現することができ、これに伴って、コスト低減や治療作業の簡易化を図ることが可能となる。
【図面の簡単な説明】
【００１５】
【図１】本発明の実施形態に係る二酸化炭素治療用被覆部材の正面図である。
【図２】図１の二酸化炭素治療用被覆部材の上面の部分拡大図である。
【図３】図１の二酸化炭素治療用被覆部材を構成する２枚のシート材の裏面図である。
【図４】（ａ）は、図１に示すＡ−Ａ線拡大断面図であり、（ｂ）は、図１に示すＢ−Ｂ線拡大断面図である。
【図５】図１に示すＣ−Ｃ線拡大断面図である。
【図６】図１の二酸化炭素治療用被覆部材を用いた治療手順を示す説明図である。
【図７】図７に示すＤ−Ｄ線断面図である。
【図８】本発明の実施形態に係る二酸化炭素治療用被覆部材の変形例を示す正面図である。
【発明を実施するための形態】
【００１６】
以下、本発明に係る二酸化炭素治療用被覆部材について説明するが、以下においては、靴下形状に構成したものを本発明の実施形態の一例として、添付の図面を参照しながら説明することとする。
【００１７】
図１及び図２は、本発明の実施形態に係る靴下型の二酸化炭素治療用被覆部材１（以下、「靴下型被覆部材１」と言う。）を示している。靴下型被覆部材１は、図３（ａ）及び（ｂ）に示すように、柔軟性のある２枚のシート材２ａ，２ｂからなる。靴下型被覆部材１は、図１〜図３に示すように、左右対称の靴下形状に構成した２枚のシート材２ａ，２ｂを相互に溶融圧着して、上部開口の袋状構成にしたものである。
【００１８】
各シート材２ａ，２ｂは、例えば、図４、図５及び図７に示すように、シール性に優れたポリウレタン層の内層３ａ，３ｂと、保温性に優れた不織布層の外層４ａ，４ｂとを公知の押し出しラミネート法で加工された積層構造のシート材である。内層３ａ，３ｂのポリウレタン層は、強度等を考慮すれば、３０μｍ以上の厚さで構成されるのが好ましく、一方、密着性やシール性を考慮すれば、２００μｍ以下の厚さで構成されるのが好ましい。さらに好適な厚さとしては、６０μｍ〜８０μｍの範囲である。外層４ａ，４ｂの不織布層は、保温性等を考慮すれば、２０ｇ／ｍ２以上の使用量で構成されるのが好ましく、一方、密着性を考慮すれば、１００ｇ／ｍ２以下の使用量で構成されるのが好ましい。さらに好適な使用量としては、３０ｇ／ｍ２〜５０ｇ／ｍ２の範囲である。
【００１９】
各シート材２ａ，２ｂは、図３（ａ）及び（ｂ）に示すように、上方を折り返し線で内層側に折り返して溶融圧着された折り返し部５ａ，５ｂを備える。各シート材２ａ，２ｂは、前側端部６ａ，６ｂ近傍の上側端部７ａ，７ｂより垂直方向に延在する分割切込部８ａ，８ｂを備える。分割切込部８ａ，８ｂは、各シート材２ａ，２ｂの上方領域を、第１分割領域９ａ，９ｂと第２分割領域１０ａ，１０ｂとに分割する。
【００２０】
靴下型被覆部材１は、上側端部７ａ，７ｂを除く周辺縁部、すなわち、前側端部６ａ，６ｂ及び後側端部１１ａ，１１ｂと先端側端部１２ａ，１２ｂの内層同士を相互に溶融圧着する周辺シール部１３を備える。周辺シール部１３は、靴下型被覆部材１を袋状に構成する。
【００２１】
靴下型被覆部材１は、第１、第２領域９ａ，９ｂ及び１０ａ，１０ｂの分割切込部８ａ，８ｂ側端部から前側端部６ａ，６ｂに沿って先端側端部１２ａ，１２ｂ近傍までの内層同士を相互に溶融圧着する区画シール部１４を備える。区画シール部１４は、図４〜図６に示すように、靴下型被覆部材１の内部空間を、二酸化炭素導入口１５及び内部流路１６と、治療部位挿入口１７及び被覆空間１８とに区画する。
【００２２】
二酸化炭素導入口１５は、図２及び図４（ａ）に示すように、筒状の開口部であり、靴下型被覆部材１の上側端部７に位置し、治療部位挿入口１７と隣接する。二酸化炭素導入口１５は、内部流路１６に連通する。二酸化炭素導入口１５には、二酸化炭素噴射スプレー缶等の二酸化炭素源１９のノズル等の中継部材２０が挿入される。
【００２３】
内部流路１６は、図２、図４（ａ）及び図５に示すように、二酸化炭素導入口１５の下方に位置し、前側端部６に沿って先端側端部１２近傍まで延在する。内部流路１６は、上述の二酸化炭素導入口１５及び後述の被覆空間１８と連通し、二酸化炭素導入口１５より導入された二酸化炭素を、後述の被覆空間１８へ案内する。靴下型被覆部材１の装着時には、内部流路１６は、図７に示すように、治療部位の足首付近の湾曲領域において、対向する内壁の複数箇所を互いに接触させた状態で撓みながら被覆空間１８と外部空間との連通を抑制する。
【００２４】
治療部位挿入口１７は、図２及び図４（ｂ）に示すように、筒状の開口部であり、靴下型被覆部材１の上側端部７に位置し、二酸化炭素導入口１５と隣接する。治療部位挿入口１７は、被覆空間１８と連通する。治療部位挿入口１７には、図６に示すように、使用者の両下肢の一方２２が挿入される。
【００２５】
被覆空間１８は、図２、図４（ｂ）及び図５に示すように、治療部位挿入口１７の下方に位置し、内部流路１６と後側端部１１に沿って延在する。被覆空間１８は、前記治療部位挿入口１７より挿入された両下肢の一方２２を被覆する。被覆空間１８は、上述したように、内部流路１６と連通する。被覆空間１８には、二酸化炭素導入口１５より導入された二酸化炭素が、内部流路１６を介して流入する。
【００２６】
次に、上述のように構成された靴下型被覆部材１を用いた治療手順及びその作用について説明する。
【００２７】
使用者は、両下肢の一方２２に軟膏等の二酸化炭素吸収補助剤を一様に広がる程度に塗布する。保湿状態にした両下肢の一方２２を、治療部位挿入口１７より挿入して、図６（ａ）に示すように、被覆空間１８内に収容する。靴下型被覆部材１を外側から押さえつけて、被覆空間１８内の空気を外部空間に放出させる脱気作業を行う。脱気作業を十分に行った後、図６（ｂ）に示すように、分割切込線８に、バンド状の面ファスナー、粘着テープ、紐等の密閉手段２１を差し込んでから、これを靴下型被覆部材１に巻き付け、被覆空間１８を密閉状態にする。
【００２８】
次に、図６（ｃ）に示すように、二酸化炭素源１９を用いて、二酸化炭素導入口１５より内部流路１６を経て二酸化炭素を被覆空間１８へ供給する。二酸化炭素源１９としては、二酸化炭素噴射スプレー缶の他、炭酸水、ドライアイス等を充填した容器、クエン酸等の酸と重曹を化学反応させる二酸化炭素発生装置等がある。
【００２９】
本説明では、二酸化炭素源１９として、図６（ｃ）に示す二酸化炭素噴射スプレー缶を例に挙げて説明する。図６（ｃ）に示すように、二酸化炭素噴射スプレー缶１９に取り付けたノズル２０を、二酸化炭素導入口１５に５ｃｍ程度差し込み、二酸化炭素を内部流路１６に噴射する。上述したように、この時、内部流路１６は、前記被覆空間１８と外部空間との連通を抑制しているが、二酸化炭素噴射スプレー缶１９の噴射力を利用することで、二酸化炭素を、被覆空間１８へ強制的に流入させることができる。使用者は、被覆空間１８内の二酸化炭素濃度が高濃度状態となるまで、前記二酸化炭素の噴射を継続して行う。
【００３０】
被覆空間１８に十分な二酸化炭素が充填された場合には、使用者は、ノズル２０を二酸化炭素導入口１５より抜き取る。使用者は、二酸化炭素の噴射終了から４０分間程度、靴下型被覆部材１を装着したまま安静状態を保つようにする。安静状態時において、内部流路１６は、図７に示すように、足首付近の湾曲領域で、対向する内壁の複数箇所を互いに接触させた状態で撓みながら前記被覆空間１８と外部空間との連通を抑制する。その結果、被覆空間１８に充填された二酸化炭素が、内部流路１６を逆流して二酸化炭素導入口１５より漏れることはなく、使用者の皮膚に多くの二酸化炭素を効果的に吸収させることができる。
【００３１】
被覆空間１８に充填された二酸化炭素は、治療部位に塗布した軟膏に溶け込んだ後、治療部位の皮膚に吸収される。その結果、使用者は、時間の経過とともに、血行に改善があることを実感する。また、靴下型被覆部材１を脱いだ後も、一定時間、治療部位に温もりを感じることができる。普段から足のむくみ等を引き起こす使用者にとっては、足に疲れを感じることが少なくなり、むくみ等の緩和を効果的に実現することができる。
【００３２】
本実施形態に係る靴下型被覆部材１によれば、二酸化炭素治療法において、簡易な作業を実現しながら、血行不良に対する改善を図ることができる。また、二酸化炭素は、内部流路１６を介して間接的に被覆空間１８に供給されるので、直接噴射が原因となる低温やけどを引き起こす等の危険がなく、治療時の安全性をも確保することが可能となる。
【００３３】
なお、本発明の構成は、以下に述べるように、上述の実施形態に限定されるものではない。
【００３４】
シート材２ａ，２ｂの内層３ａ，３ｂとしては、上述のポリウレタン層以外に、ポリエチレン（ＰＥ）、ポリエチレンテレフタレート（ＰＥＴ）、高密度ポリエチレン(ＨＤＰＥ)、中密度ポリエチレン（ＭＤＰＥ）、低密度ポリエチレン（ＬＤＰＥ）、ポリプロピレン （ＰＰ）、ポリ塩化ビニル（ＰＶＣ）等のシール性に優れた材料で構成されてもよい。また、シート材２ａ，２ｂの外層４ａ，４ｂは、不織布層以外に、布等の保温性に優れた材料で構成されてもよい。
【００３５】
シート材２ａ，２ｂは、上述の内層３ａ，３ｂと外層４ａ，４ｂとを逆にして構成した２層構造であってもよい。また、シート材２ａ，２ｂは、保温性に優れた不織布や布等からなる外層と、シール性に優れたポリウレタンやポリエチレン（ＰＥ）等からなる中層と、保温性に優れた不織布や布等からなる内層との３層構造で構成されてもよい。
【００３６】
本実施形態では、二酸化炭素治療用被覆部材を靴下形状で構成しているが、治療部位に合わせて、その形状を変更してもよいことは明らかであり、例えば、手先の血行不良を改善する場合には、二酸化炭素治療用被覆部材を手袋形状に構成する等、治療部位に対応した構成に変更すればよい。
【００３７】
内部流路１６の構成は、本実施形態で記載及び図示したものに限定されず、装着時に、治療部位の湾曲領域における対向する内壁の少なくとも１箇所を互いに接触させた状態で撓むように構成されるものであればよく、例えば、図８（ａ）〜（ｆ）に示すような構成であってもよい。具体的には、図８（ａ）〜（ｃ）は、二酸化炭素導入口１５と内部流路１６の位置をそれぞれ変更したものである。図８（ｄ）は、２枚の矩形状のシート材を溶融圧着して単純に袋状に構成したものである。図８（ｅ）及び（ｆ）は、シート材の一方に設けたスリット２３に挿入した筒状シート材２４の挿入部分をシート材の内層に溶融圧着したものである。
【符号の説明】
【００３８】
１  靴下型被覆部材
２ａ，２ｂ  シート材
３ａ，３ｂ  内層
４ａ，４ｂ  外層
５ａ，５ｂ  折り返し部
６，６ａ，６ｂ  前側端部
７，７ａ，７ｂ  上側端部
８ａ，８ｂ  分割切込部
９ａ，９ｂ  第１分割領域
１０ａ，１０ｂ  第１分割領域
１１，１１ａ，１１ｂ  後側端部
１２，１２ａ，１２ｂ  先端側端部
１３  周辺シール部
１４  区画シール部
１５  二酸化炭素導入口
１６  内部流路
１７  治療部位挿入口
１８  被覆空間
１９  二酸化炭素源
２０  中継部材
２１  密閉手段
２２  両下肢の一方
２３  スリット
２４  筒状シート材
【図１】
2010274037.tif 000003
【図２】
2010274037.tif 000004
【図３】
2010274037.tif 000005
【図４】
2010274037.tif 000006
【図５】
2010274037.tif 000007
【図６】
2010274037.tif 000008
【図７】
2010274037.tif 000009
【図８】
2010274037.tif 000010